(57)【要約】    【課題】  情報処理端末が接続時にどのメモリ・カードに接続しているかを情報処理端末に容易に通知することができる撮像装置及びその制御方法、並びにプログラム及び記憶媒体を提供することにある。    【解決手段】  撮像装置１００は、メモリ・カード挿入スロットＡ１０２、メモリ・カード挿入スロットＢ１０３、及び撮像装置１００を情報処理端末に接続すべくＵＳＢケーブルが挿入されるＵＳＢコネクタ１０４を備える。情報処理端末３０１がＵＳＢケーブル３０２を介して撮像装置１００に接続されたときは、有効スロットがスロットＡ６０１又はスロットＢ６０２のどちらかであるかを判別できる図柄を含むアイコン・ファイルを生成してメモリ・カード内に構築されたファイル・システムの最上位ディレクトリに書き込んで、該アイコンを情報処理端末３０１に画面表示する。【選択図】      図１
2005318317.tif 000002
【特許請求の範囲】
【請求項１】
情報処理端末が接続される接続部と、画像データ・ファイルを記録するための記憶媒体が夫々装着可能な少なくとも１つの記憶媒体装着部とを備え、前記情報処理端末は、前記接続部に接続されているときは、前記記憶媒体装着部に装着された記憶媒体の１つに接続される撮像装置において、
前記情報処理端末が前記接続部に接続されたときは、前記撮像装置の状態を示す少なくとも１つのアイコン・ファイルを生成すると共に、当該アイコンを前記情報処理装置に画面表示するアイコン・ファイル生成手段と、前記情報処理端末が前記接続部から外されたときは、前記少なくとも１つのアイコン・ファイルを削除する削除手段とを備えることを特徴とする撮像装置。
【請求項２】
前記情報処理端末が前記接続部に接続されていないときは、前記記録媒体装着部に装着された記憶媒体は前記画像データ・ファイルを記録することを特徴とする請求項１記載の撮像装置。
【請求項３】
前記アイコン・ファイルの１つは、前記記録媒体装着部に装着されている記憶媒体を特定する図柄であることを特徴とする請求項１又は２記載の撮像装置。
【請求項４】
前記アイコン・ファイルの１つは、前記撮像装置の電源状況を示す図柄であることを特徴とする請求項１又は２記載の撮像装置。
【請求項５】
前記アイコン・ファイルは、使用者によって設定された任意の図柄であることを特徴とする請求項１又は２記載の撮像装置。
【請求項６】
前記情報処理装置とＵＳＢケーブルを介して接続されることを特徴とする請求項１乃至５のいずれか１項に記載の撮像装置。
【請求項７】
前記情報処理装置と前記接続部との接続は、ＵＳＢマス・ストレージ・クラスが適用されることを特徴とする請求項６記載の撮像装置。
【請求項８】
前記情報処理装置とネットワーク・インターフェースを介して接続され、情報処理装置からＳＭＢ（Server Message Block）サーバの起動により、ネットワーク・ドライブとして利用されることを特徴とする請求項１乃至５のいずれか１項に記載の撮像装置。
【請求項９】
情報処理端末が接続される接続部と、画像データ・ファイルを記録するための記憶媒体が夫々装着可能な少なくとも１つの記憶媒体装着部とを備え、前記情報処理端末は、前記接続部に接続されているときは、前記記憶媒体装着部に装着された記憶媒体の１つに接続される撮像装置の制御方法において、
前記情報処理端末が前記接続部に接続されたときは、前記撮像装置の状態を示す少なくとも１つのアイコン・ファイルを生成すると共に、当該アイコンを前記情報処理装置に画面表示するアイコン・ファイル生成ステップと、前記情報処理端末が前記接続部から外されたときは、前記少なくとも１つのアイコン・ファイルを削除する削除ステップとを備えることを特徴とする撮像装置の制御方法。
【請求項１０】
前記情報処理端末が前記接続部に接続されていないときは、前記記録媒体装着部に装着された記憶媒体は前記画像データ・ファイルを記録することを特徴とする請求項９記載の制御方法。
【請求項１１】
前記アイコン・ファイルの１つは、前記記録媒体装着部に装着されている記憶媒体を特定する図柄であることを特徴とする請求項９又は１０記載の制御方法。
【請求項１２】
前記アイコン・ファイルの１つは、前記撮像装置の電源状況を示す図柄であることを特徴とする請求項９又は１０記載の制御方法。
【請求項１３】
前記アイコン・ファイルは、使用者によって設定された任意の図柄であることを特徴とする請求項９又は１０記載の制御方法。
【請求項１４】
前記情報処理装置と前記接続部はＵＳＢケーブルを介して接続されることを特徴とする請求項９乃至１３のいずれか１項に記載の制御方法。
【請求項１５】
前記情報処理装置と前記接続部との接続は、ＵＳＢマス・ストレージ・クラスが適用されることを特徴とする請求項１４記載の制御方法。
【請求項１６】
前記撮像装置は、前記情報処理装置とネットワーク・インターフェースを介してＳＭＢ（Server Message Block）サーバの起動により接続され、情報処理装置からはネットワーク・ドライブとして利用されることを特徴とする請求項９乃至１３のいずれか１項に記載の制御方法。
【請求項１７】
情報処理端末が接続される接続部と、画像データ・ファイルを記録するための記憶媒体が夫々装着可能な少なくとも１つの記憶媒体装着部とを備え、前記情報処理端末は、前記接続部に接続されているときは、前記記憶媒体装着部に装着された記憶媒体の１つに接続される撮像装置の制御プログラムにおいて、
前記情報処理端末が前記接続部に接続されたときは、前記撮像装置の状態を示す少なくとも１つのアイコン・ファイルを生成すると共に、当該アイコンを前記情報処理装置に画面表示するアイコン・ファイル生成モジュールと、前記情報処理端末が前記接続部から外されたときは、前記少なくとも１つのアイコン・ファイルを削除する削除モジュールとをコンピュータに実行させることを特徴とする撮像装置の制御プログラム。
【請求項１８】
請求項１７記載のプログラムを格納することを特徴とするコンピュータ読取り可能な記憶媒体。
【発明の詳細な説明】
【技術分野】
【０００１】
本発明は、撮像装置及びその制御方法、並びにプログラム及び記憶媒体に関し、特に、静止画像データ・ファイルや動画像データ・ファイルを記録する記録媒体を搭載する撮像装置及びその制御方法、並びにプログラム及び記憶媒体に関する。
【背景技術】
【０００２】
静止画像データ・ファイルや動画像データ・ファイルを記録する記録媒体を搭載する撮像装置は、ＤＳＣ（Digital Still Camera）やＤＶＣ（Digital Video Camera）等から成る。上記記録媒体は、一般的にリムーバブルな小型メモリ・カードやメモリ・ディスクから成る。
【０００３】
記録媒体に記録された画像データ・ファイルをＰＣ（Personal Computer）等の情報処理端末に取り込む際には、記録媒体を撮像装置から取り出し、情報処理端末のカード・スロットやカード・リーダに直接挿入して読み出す方法や、ＵＳＢ（Universal Serial Bus）を介して情報処理端末と撮像装置を接続し、ＵＳＢマス・ストレージ・クラス（Mass Storage Class）を適用することで、情報処理端末に撮像装置をＵＳＢ大容量記憶装置デバイスとして認識させて、記録媒体中の画像データ・ファイルを読み込む方法が一般的である（例えば、特許文献１参照）。これにより、使用者は、撮像装置内の画像データ・ファイルを情報処理端末の記憶装置内の画像データ・ファイルと同等の操作感覚で操作することができる。
【０００４】
例えば、記録媒体内の静止画像データ・ファイルや動画像データ・ファイルは、情報処理端末上ではアイコンとして表示されるため、そのファイルがどのような属性を持つファイルか（静止画像、動画像等）を認識し易く、また、アイコンに対し、ドラッグやドロップ、クリック等の操作を行うことにより、所望の処理を実行することができる。
【０００５】
上記接続にＵＳＢマス・ストレージ・クラスを利用する理由は、近年の一般的なＯＳ（Operating System）においては、ドライバとして共通デバイス・ドライバが標準的にインストールされていることから、使用者は情報処理端末と撮像装置をＵＳＢケーブルで接続するだけで共通ドライバが適用され、個別にドライバをインストールする必要がないという利点があるからである。
【特許文献１】特開２００２−３５９８１０号公報
【発明の開示】
【発明が解決しようとする課題】
【０００６】
しかしながら、上記のような共通デバイス・ドライバを使用すると、撮像装置に複数のカード・スロットが搭載されている場合、大容量記憶装置デバイスとして認識させることができるのはいずれか１つのカードのみである。複数のメモリ・カードのうちどれを使用可能状態にするかは、撮像装置に依存し、例えば撮影時に最後に使用していたカードを使用可能状態にする撮像装置や、本体の設定手段により設定されているカードのうちどれを使用可能状態にする撮像装置等が挙げられる。その結果、使用者は、情報処理端末が実際にどのメモリ・カードに接続しているのかを認識できることが望ましいが、それを容易に判別することができないという問題があった。
【０００７】
本発明の目的は、情報処理端末が接続時にどのメモリ・カードに接続しているかを情報処理端末に容易に通知することができる撮像装置及びその制御方法、並びにプログラム及び記憶媒体を提供することにある。
【課題を解決するための手段】
【０００８】
上記の目的を達成するために、請求項１記載の撮像装置は、情報処理端末が接続される接続部と、画像データ・ファイルを記録するための記憶媒体が夫々装着可能な少なくとも１つの記憶媒体装着部とを備え、前記情報処理端末は、前記接続部に接続されているときは、前記記憶媒体装着部に装着された記憶媒体の１つに接続される撮像装置において、前記情報処理端末が前記接続部に接続されたときは、前記撮像装置の状態を示す少なくとも１つのアイコン・ファイルを生成すると共に、当該アイコンを前記情報処理装置に画面表示するアイコン・ファイル生成手段と、前記情報処理端末が前記接続部から外されたときは、前記少なくとも１つのアイコン・ファイルを削除する削除手段とを備えることを特徴とする。
【０００９】
請求項２記載の撮像装置は、請求項１記載の撮像装置において、前記情報処理端末が前記接続部に接続されていないときは、前記記録媒体装着部に装着された記憶媒体は前記画像データ・ファイルを記録することを特徴とする。
【００１０】
請求項３記載の撮像装置は、請求項１又は２記載の撮像装置において、前記アイコン・ファイルの１つは、前記記録媒体装着部に装着されている記憶媒体を特定する図柄であることを特徴とする。
【００１１】
請求項４記載の撮像装置は、請求項１又は２記載の撮像装置において、前記アイコン・ファイルの１つは、前記撮像装置の電源状況を示す図柄であることを特徴とする。
【００１２】
請求項５記載の撮像装置は、請求項１又は２記載の撮像装置において、前記アイコン・ファイルは、使用者によって設定された任意の図柄であることを特徴とする。
【００１３】
請求項６記載の撮像装置は、請求項１乃至５記載の撮像装置において、前記情報処理装置とＵＳＢケーブルを介して接続されることを特徴とする。
【００１４】
請求項７記載の撮像装置は、請求項６記載の撮像装置において、前記情報処理装置と前記接続部との接続は、ＵＳＢマス・ストレージ・クラスが適用されることを特徴とする。
【００１５】
請求項８記載の撮像装置は、請求項１乃至５のいずれか１項に記載の撮像装置において、前記情報処理装置とネットワーク・インターフェースを介して接続され、情報処理装置からＳＭＢ（Server Message Block）サーバの起動により、ネットワーク・ドライブとして利用されることを特徴とする。
【００１６】
請求項９記載の撮像装置の制御方法は、情報処理端末が接続される接続部と、画像データ・ファイルを記録するための記憶媒体が夫々装着可能な少なくとも１つの記憶媒体装着部とを備え、前記情報処理端末は、前記接続部に接続されているときは、前記記憶媒体装着部に装着された記憶媒体の１つに接続される撮像装置の制御方法において、前記情報処理端末が前記接続部に接続されたときは、前記撮像装置の状態を示す少なくとも１つのアイコン・ファイルを生成すると共に、当該アイコンを前記情報処理装置に画面表示するアイコン・ファイル生成ステップと、前記情報処理端末が前記接続部から外されたときは、前記少なくとも１つのアイコン・ファイルを削除する削除ステップとを備えることを特徴とする。
【００１７】
請求項１０記載の制御方法は、請求項９記載の制御方法において、前記情報処理端末が前記接続部に接続されていないときは、前記記録媒体装着部に装着された記憶媒体は前記画像データ・ファイルを記録することを特徴とする。
【００１８】
請求項１１記載の制御方法は、請求項９又は１０記載の制御方法において、前記アイコン・ファイルの１つは、前記記録媒体装着部に装着されている記憶媒体を特定する図柄であることを特徴とする。
【００１９】
請求項１２記載の制御方法は、請求項９又は１０記載の制御方法において、前記アイコン・ファイルの１つは、前記撮像装置の電源状況を示す図柄であることを特徴とする。
【００２０】
請求項１３記載の制御方法は、請求項９又は１０記載の制御方法において、前記アイコン・ファイルは、使用者によって設定された任意の図柄であることを特徴とする。
【００２１】
請求項１４記載の制御方法は、請求項９乃至１３のいずれか１項に記載の制御方法において、前記情報処理装置と前記接続部はＵＳＢケーブルを介して接続されることを特徴とする。
【００２２】
請求項１５記載の制御方法は、請求項１４項記載の制御方法において、前記情報処理装置と前記接続部との接続は、ＵＳＢマス・ストレージ・クラスが適用されることを特徴とする。
【００２３】
請求項１６記載の制御方法は、請求項９乃至１３のいずれか１項に記載の制御方法において、前記撮像装置は、前記情報処理装置とネットワーク・インターフェースを介してＳＭＢ（Server Message Block）サーバの起動により接続され、情報処理装置からはネットワーク・ドライブとして利用されることを特徴とする。
【００２４】
請求項１７記載の撮像装置の制御プログラムは、情報処理端末が接続される接続部と、画像データ・ファイルを記録するための記憶媒体が夫々装着可能な少なくとも１つの記憶媒体装着部とを備え、前記情報処理端末は、前記接続部に接続されているときは、前記記憶媒体装着部に装着された記憶媒体の１つに接続される撮像装置の制御プログラムにおいて、前記情報処理端末が前記接続部に接続されたときは、前記撮像装置の状態を示す少なくとも１つのアイコン・ファイルを生成すると共に、当該アイコンを前記情報処理装置に画面表示するアイコン・ファイル生成モジュールと、前記情報処理端末が前記接続部から外されたときは、前記少なくとも１つのアイコン・ファイルを削除する削除モジュールとをコンピュータに実行させることを特徴とする。
【００２５】
請求項１８記載のコンピュータ読取り可能な記憶媒体は、請求項１７記載のプログラムを格納することを特徴とする。
【発明の効果】
【００２６】
請求項１記載の撮像装置、請求項９記載の制御方法、請求項１７記載のプログラム、及び請求項２０記載の記憶媒体によれば、情報処理端末が接続部に接続されたときは、撮像装置の状態を示す少なくとも１つのアイコン・ファイルを生成すると共に、当該アイコンを情報処理端末に画面表示し、情報処理端末が接続部から外されたときは、少なくとも１つのアイコン・ファイルを削除するので、情報処理端末の接続時に画面表示されるアイコン・ファイルにより撮像装置の状態を情報処理端末に容易に通知することができ、加えて、情報処理装置との接続・切断時にアイコン・ファイルの生成及び削除を行うことにより、記憶媒体を記憶媒体装着部に装着した場合にのみアイコン・ファイルを表示することができる。
【００２７】
請求項４記載の撮像装置及び請求項１２記載の制御方法によれば、アイコン・ファイルの１つは、撮像装置の電源状況を示す図柄であるので、情報処理端末の接続時にバッテリ電源を使用していた場合には、使用者にその旨をアイコン・ファイルによって通知することが可能となり、長時間の利用が不可能であることを意識させることができる。
【発明を実施するための最良の形態】
【００２８】
以下、本発明の実施の形態を図面を参照しながら詳述する。
【００２９】
図１は、本発明の実施の形態に係る撮像装置を概略的に示す外観図である。
【００３０】
図１において、撮像装置１００は、複数のメモリ・カードを搭載できるタイプのものであり、メモリ・カード挿入スロットＡ１０２、メモリ・カード挿入スロットＢ１０３、撮像装置１００を情報処理端末（図２）に接続すべくＵＳＢケーブルが挿入されるＵＳＢコネクタ１０４、撮像装置１００への操作指示や設定指示に使用される操作・設定ボタン１０５、及び撮影する映像又は撮影済み映像の再生表示、及び各種操作、設定時の情報表示ユーザ・インターフェースとして利用される情報表示部１０６を備える。
【００３１】
メモリ・カードは、メモリ・カード挿入スロットＡ１０２又はメモリ・カード挿入スロットＢ１０３のいずれか一方又は双方に挿入することができ、双方のスロットにメモリ・カードが挿入されているときは、上記操作・設定ボタン１０５により、デフォルトで使用するメモリ・カードを設定したり、切り替えることができる。何らかの理由により、デフォルト設定されているメモリ・カードが使用できないようなときには、もう一方のメモリ・カードを自動的にデフォルトとして選択して使用する。
【００３２】
図２は、図１の撮像装置１００の内部構成を概略的に示す図である。
【００３３】
図２において、撮像装置１００は、画像処理部２０２、ＳＤＲＡＭ２０３、表示部２０４、ＣＰＵ２０５、ＵＳＢインターフェース部２０６、カード挿入スロットＡインターフェース部２０７、カード挿入スロットＢインターフェース部２０８、フラッシュＲＯＭ２０９を備え、これらは、バスを介して互いに接続されている。
【００３４】
１００は、また、画像処理部２０２に接続された撮像部２０１を備える。
【００３５】
撮像部２０１は、被写体像を電気信号として出力する機能を有する。画像処理部２０２は、上記撮像部２０１から入力された電気信号に対し、信号処理を施し、所定の符号化を行い、符号化画像データを生成し、ＳＤＲＡＭ（Synchronous ＤＲＡＭ）２０３に記録する。また、逆にＳＤＲＡＭ２０３上に保持されている符号化画像データに対し、復号処理を施し、表示部２０４に再生画像を表示する。
【００３６】
ＣＰＵ（Central Processing Unit）２０５は、本装置全体を制御し、特にＰＣ等の情報端末接続時のプロトコル処理、及びメモリ・カード使用時のファイル・システム処理等を行う。ＵＳＢインターフェース部２０６は、情報処理端末との接続／切断検知やＵＳＢ通信制御を行う。
【００３７】
カード挿入スロットＡインターフェース部２０７及びカード挿入スロットＢインターフェース部２０８は、メモリ・カードの挿入／抜き出しの検知、及びメモリ・カードへのデータ入出力制御を行う。
【００３８】
フラッシュ（Flash）ＲＯＭ２０９は、前述のＣＰＵ２０５で動作する制御プログラムが格納されており、その他、後述のアイコン・ファイル・データ及び各種設定データ等が記録されている。アイコン・ファイル・データ及び各種設定データは使用者の操作に応じて書き換え可能である。
【００３９】
図３は、図１の撮像装置と情報処理端末の接続方法を説明するのに用いられる図である。
【００４０】
図３において、図１の撮像装置１００は、ＵＳＢケーブル３０２を介して情報処理端末３０１に接続される。ＵＳＢケーブル３０２は、撮像装置１０１のＵＳＢコネクタ１０４（図２）と情報処理端末３０１のＵＳＢコネクタ３０３に挿入され、双方を接続する。
【００４１】
図４は、図１の撮像装置１００によって実行されるメモリ・カード挿入検知処理のフローチャートである。
【００４２】
本処理は、図１の撮像装置１００のＣＰＵ２０５によって実行される。
【００４３】
図４において、カード挿入スロットＡ１０２又はカード挿入スロットＢ１０３にメモリ・カードが挿入されたことを、カード挿入スロットＡインターフェース部２０７又はカード挿入スロットＢインターフェース部２０８が検知すると（ステップＳ４０１）、該挿入されたメモリ・カードにアクセスし、該メモリ・カード内に構築されたファイル・システムの最上位ディレクトリにアイコン・ファイルが有るか否かを判別する（ステップＳ４０２）。
【００４４】
アイコン・ファイルとは、情報処理端末３０１で画面表示される際に使用されるアイコンの図柄（ビットマップ）を記述したファイルであり、アイコンの大きさに応じて表示する図柄を変更する場合には、それらの図柄を多重化して１つのファイルにまとめて記述できるように構成されている。例えば、ＯＳとしてWindows（登録商標）を使用する情報処理端末の場合、「．ｉｃｏ」という拡張子を有するファイルがアイコン・ファイルとなる。
【００４５】
また、本アイコン・ファイル自体がWindows（登録商標）の画面上でアイコン表示される場合には、このファイル自身がアイコンの図柄をデータとして持っているため、その内容で表示される。つまり、同名のアイコン・ファイルであっても、異なる図柄データを持っていれば、異なる図柄の表示となる。
【００４６】
ステップＳ４０２の判別の結果、アイコン・ファイルがないときは、直ちに本処理を終了し、一方、アイコン・ファイルが有るときは、該ファイルが自装置で記録されたアイコン・ファイルであるか否かを判別する（ステップＳ４０３）。この判別で、カードに記録されているアイコン・ファイルのファイル名とそのアイコン・ファイル・データと、フラッシュＲＯＭ ２０９に記録されているアイコン・ファイル名とアイコン・ファイル・データの比較を行い、その内容が完全に一致するときは、自装置で生成記録されたアイコン・ファイルであると判別する。
【００４７】
ステップＳ４０３の判別の結果、自装置で記録されたアイコン・ファイルであるときは、現時点では不要なファイルであるため、アイコン・ファイルを削除した（ステップＳ４０４）後、一方、自装置で記録されたアイコン・ファイルでないときは、直ちに、本処理を終了する。
【００４８】
撮像装置１００が正しく使用されている場合には、この上記手順において、自装置で記録されたアイコン・ファイルが確認されることはなく、もしアイコン・ファイルが確認された場合には、前回の使用時に何らかの理由で異常な終了をしたと推測される。
【００４９】
図５は、図１の撮像装置１００によって実行される接続検知処理のフローチャートである。
【００５０】
本処理は、図１の撮像装置１００のＣＰＵ２０５によって実行される。
【００５１】
図５において、ＵＳＢインターフェース部２０６がＵＳＢケーブル３０２の一端が撮像装置１００のＵＳＢコネクタ１０４に接続され、ＵＳＢケーブル３０２の他端が情報処理端末３０１のＵＳＢコネクタ３０３に接続されたことを検知すると（ステップＳ５０１）、カード・スロットに挿入されたメモリ・カードの数を検出し（ステップＳ５０２）、カード挿入スロットＡ１０２又はカード挿入スロットＢ１０３のいずれか一方にメモリ・カードが挿入されているときは、そのカード挿入スロットを有効スロットとして選択し、カード挿入スロットＡ及びＢの双方にメモリ・カードが挿入されているときは、使用者によって指定されているデフォルト・スロットを有効スロットとして選択し（ステップＳ５０３）、図６に示すように、該有効スロットがスロットＡ６０１又はスロットＢ６０２のどちらであるかを判別できるような図柄を含むアイコン・ファイルを生成して該メモリ・カード内に構築されたファイル・システムの最上位ディレクトリに書き込んで（ステップＳ５０４）、ステップＳ５０６に進む。図６において、上記アイコンは、撮像装置１００の物理的スロットの位置関係が視覚的にわかるようにデザインされている。
【００５２】
カード挿入スロットＡ及びＢのいずれにもメモリ・カードが挿入されていないときは、有効スロットがない状態となるが、デフォルト・スロットを仮有効スロットとして選択して（ステップＳ５０５）、ステップＳ５０６に進む。なお、このような状態から、どちらかのスロットにメモリ・カードが新たに挿入された場合には、該スロットが有効スロットとして自動選択される。
【００５３】
続くステップＳ５０６では、ＵＳＢマス・ストレージ・クラスとして情報処理端末３０１と接続して、上記マイコンを情報処理端末３０１に画面表示し（アイコン・ファイル生成手段）、本処理を終了する。
【００５４】
情報処理端末３０１は、有効スロットに挿入されているメモリ・カードを大容量記憶装置として使用することができ、撮影された静止画ファイル等を情報処理端末３０１上にダウンロード（ファイル・コピー）する等の作業を行うことができる。
【００５５】
メモリ・カードの内容を表示する際に、メモリ・カード内に構築されたファイル・システムの最上位ディレクトリの情報処理端末３０１による表示例としては、例えば、図７に示すように、フォルダ７０１、フォルダ７０２、及び本装置によって作成されたアイコン・ファイル７０３がある。アイコン・ファイル７０３の図柄から、現在アクセスしているメモリ・カードはカード挿入スロットＡ１０２に装着されたものであることが容易に識別できる。
【００５６】
情報処理端末３０１が撮像装置１００にアクセスする場合に、有効スロットがなく、仮有効スロットの状態のときは、メモリ・カードの挿入を促す警告画面が表示される。本警告表示は、撮像装置１００に依存した特殊な表示ではなく、着脱可能な記憶装置デバイス使用時に、記録媒体が未挿入な状態の場合に表示される標準的な警告表示である。警告表示により使用者がメモリ・カードをスロットに挿入すると、図４のメモリ・カード挿入検知処理が実施された後、挿入スロット識別のためのアイコン・ファイル（図６）が最上位ディレクトリに作成される。
【００５７】
図８は、図１の撮像装置によって実行されるＵＳＢ切断検知処理のフローチャートである。
【００５８】
本処理は、図１の撮像装置のＣＰＵ２０５によって実行される。
【００５９】
図８において、情報処理端末３０１からＵＳＢ切断指示を検知すると（ステップＳ８０１）、所定のＵＳＢマス・ストレージ・クラス切断処理を実行することにより、情報処理端末３０１からのアクセスを遮断し（ステップＳ８０２）、その後、ＵＳＢ接続検知処理時における自装置生成のアイコン・ファイルが有るか否かを判別し（ステップＳ８０３）、アイコン・ファイルが有るときは、該アイコン・ファイルを削除した（ステップＳ８０４）（削除手段）後、一方、アイコン・ファイルがないときは、直ちに本処理を終了する。
【００６０】
情報処理端末３０１は、ＵＳＢマス・ストレージ・クラス切断処理により装置が切り離されたことを認識し、ケーブルを切り離しても良い旨を表示し、使用者はＵＳＢケーブルを撮像装置１００のＵＳＢコネクタ１０４から抜き取る（ステップＳ８０２）。上記のＵＳＢ切断指示は、ＵＳＢ接続機器を切断する場合に通常実施されるものであり、撮像装置１００のための特別な手段ではない。特に、該指示の実行をせずにＵＳＢ接続機器を切断した場合には、大容量記憶装置に記録されている内容の安全性は保障されず、撮像装置１００では、特に、ＵＳＢ接続検知処理時に生成したアイコン・ファイルがそのまま残ってしまう。このようにして残ったアイコン・ファイルは、メモリ・カード挿入検知処理時に削除される（ステップＳ８０４）。
【００６１】
本実施の形態（図５及び図８）によれば、情報処理端末３０１がＵＳＢケーブル３０２を介して撮像装置１００に接続されたときは、有効スロットがスロットＡ６０１又はスロットＢ６０２のどちらかであるかを判別できる図柄を含むアイコン・ファイルを生成してメモリ・カード内に構築されたファイル・システムの最上位ディレクトリに書き込んで（ステップＳ５０４）、該アイコンを情報処理端末３０１に画面表示し（ステップＳ５０６）、情報処理端末３０１の撮像装置１００への接続が解除された場合において（ステップＳ８０１）、ＵＳＢ接続検出処理時における自装置生成のアイコン・ファイルが有るときは（ステップＳ８０３でＹＥＳ）、該アイコン・ファイルを削除する（ステップＳ８０４）ので、複数のメモリ・カードを搭載した撮像装置１００において、接続時に情報処理端末３００がどのメモリ・カードに接続しているかを情報処理端末に容易に通知することができる。特に、情報処理端末との接続・切断処理時にアイコン・ファイルの生成及び削除を行うことにより、メモリ・カードを撮像装置に挿入して使用した場合にのみアイコン表示され、情報処理端末又は情報処理端末に接続したカード・リーダに上記メモリ・カードを挿入して使用した場合には、アイコンは表示されない。また、複数のメモリ・カードを搭載しない場合でも、撮像装置の状態をアイコンの表示内容によって、使用者に認識させることができる。
【００６２】
図９は、図５のＵＳＢ接続検知処理の変形例のフローチャートである。
【００６３】
図９の処理は、図５の処理と基本的に同じであり、同じステップには同一の番号を付して説明を省略し、異なる部分のみ説明する。
【００６４】
図９において、ＵＳＢの接続を検知すると（ステップＳ９０１）、本装置では現在、ＡＣ電源を利用して起動しているのか、バッテリを使用して起動しているのかを判別する（ステップＳ９０２）。ＡＣ電源を利用しているときは、ＡＣ電源使用を示すアイコン・ファイル１００１（図１０(a)）をメモリ・カードに構築されたファイル・システムの最上位トップ・ディレクトリに生成し（ステップＳ９０３）、一方、バッテリを使用して起動しているときは、バッテリ使用を示すアイコン・ファイル１００２（図１０(b)）を生成して（ステップＳ９０４）、本処理を終了する。
【００６５】
本来、情報処理端末３０１とＵＳＢケーブル３０２を接続する際には、ファイル操作中に撮像装置１００の電源が落ちてしまうことがないようにＡＣ電源を利用するのが望ましいが、使用者の利便性を考えるとバッテリ利用も禁止することはできない。ファイル操作中等に電源が消失したときは、メモリ・カード内の情報の保存については保障されなくなる。このような危険性があることを、上述のとおり電源状態をトップ・ディレクトリのアイコンで表示することで、使用者に対して通知することができる。
【００６６】
図１１は、図３の接続方法の変形例を説明するのに用いられる図である。
【００６７】
実施の形態１及び２では情報処理端末との接続手段としてＵＳＢを利用する場合について説明したが、本実施の形態では無線ＬＡＮ（Local Area Network）を利用する場合について説明する。
【００６８】
本実施の形態に係る撮像装置１１０１は、無線ＬＡＮインターフェース１１０２を有する。同様に、情報処理端末１１０３は、無線ＬＡＮインターフェース１１０４を有し、撮像装置１１０１と無線ＬＡＮを介して接続可能である。このような接続の場合、撮像装置１１０１側にネットワークサーバ機能を実装することで、情報処理端末１１０３側は一般的に使用されているネットワーク・クライアント・ソフトを利用して、本撮像装置１１０１と接続することができる。例えば、撮像装置１１０１にＳＭＢサーバを実装し、起動することで、本撮像装置１１０１はネットワーク・ファイル・サーバとして動作することが可能になり、情報処理端末１１０３においてはネットワーク・ドライブとして割り付けることが可能となる。従って、ＳＭＢサーバ起動時に使用者に通知したい内容を示すアイコン・ファイルをトップ・ディレクトリに作成することで、実施の形態１又は２と同様の効果を得ることができる。また、ＳＭＢサーバ停止時に、作成アイコン・ファイルを削除する。
【００６９】
以上の実施の形態は、それぞれを組み合わせることも可能であり、複数のアイコン・ファイルをトップ・ディレクトリに作成することで、より多くの情報を使用者に伝えることができる。
【００７０】
また、本撮像装置で作成するアイコン・ファイルのアイコンの図柄は、図２のフラッシュＲＯＭ２０９内に記録されており、書き換えが可能である。従って、使用者が任意のアイコン・ファイルを上記フラッシュＲＯＭ内のアイコン・ファイルと置き換えて使用することも可能である。
【００７１】
尚、本発明は、記録媒体を有し、情報処理端末と接続しファイル操作を行える記憶装置であれば適用可能であり、撮像装置に限ったものではない。
【００７２】
また、本発明の目的は、上記実施形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００７３】
この場合、記憶媒体から読み出されたプログラムコード自体が前述した実施形態の機能を実現することになり、そのプログラムコードを記憶した記憶媒体は本発明を構成することになる。
【００７４】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００７５】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７６】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００７７】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリ・カード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００７８】
【図１】本発明の実施の形態に係る撮像装置を概略的に示す外観図である。
【図２】図１の撮像装置の内部構成を概略的に示す図である。
【図３】図１の撮像装置と情報処理端末の接続方法を説明するのに用いられる図である。
【図４】図１の撮像装置によって実行されるメモリ・カード挿入検知処理のフローチャートである。
【図５】図１の撮像装置によって実行される接続検知処理のフローチャートである。
【図６】図５のステップＳ５０４で生成されるアイコン・ファイルを説明するのに用いられる図であり、(a)はカード挿入スロットＡのアイコンを示し、(b)はカード挿入スロットＢのアイコンを示す。
【図７】メモリ・カード内に構築されたファイル・システムの最上位ディレクトリの情報処理装置３００による表示例を説明するのに用いられる図であり、（ａ）はＤＣＩＭファイルのアイコンを示し、（ｂ）はＭＩＳＣのアイコンを示し、（ｃ）はカード挿入スロットＡのアイコンを示す。
【図８】図１の撮像装置によって実行されるＵＳＢ切断検知処理のフローチャートである。
【図９】図５のＵＳＢ接続検知処理の変形例のフローチャートである。
【図１０】（ａ）は、図９のステップＳ９０３で生成されるアイコン・ファイルを説明するのに用いられる図であり、（ｂ）は、図９のステップＳ９０４で生成されるアイコン・ファイルを説明するのに用いられる図である。
【図１１】図３の接続方法の変形例を説明するのに用いられる図である。
【符号の説明】
【００７９】
１００  撮像装置
１０２  メモリ・カード挿入スロットＡ
１０３  メモリ・カード挿入スロットＢ
１０４  ＵＳＢコネクタ
１０５  操作・設定ボタン
１０６  情報表示部
３０１  情報処理端末
３０２  ＵＳＢケーブル
６０１  識別アイコンＡ
６０２  識別アイコンＢ
７０１  フォルダ・アイコン
７０３  アイコン・ファイル
【図１】
2005318317.tif 000003
【図２】
2005318317.tif 000004
【図３】
2005318317.tif 000005
【図４】
2005318317.tif 000006
【図５】
2005318317.tif 000007
【図６】
2005318317.tif 000008
【図７】
2005318317.tif 000009
【図８】
2005318317.tif 000010
【図９】
2005318317.tif 000011
【図１０】
2005318317.tif 000012
【図１１】
2005318317.tif 000013